(57)【要約】【課題】限りある距離の中で可動部材を三次元的に動作させることにより、可動部材の動作に対するインパクトや迫力を増大して、遊技の興趣を増大する。【解決手段】装飾部材に対して第１の方向へ回転可能に支持され、モータに接続する軸部材２３,３０と、軸部材２３,３０に設けられ、可動部材２２,２９を第１の方向と異なる第２の方向へ回転可能に支持する枢支部２４,３１と、可動部材２２,２９に設けられ、枢支部２４,３１に対する可動部材２２,２９の回転軸方向に対し交差方向へ延在するピン２６ａ,３３ａと、装飾部材に位置し、ピン２６ａ,３３ａを遊動可能に支持するピン支持部３５ａ,３５ａとを備える。モータ３６により軸部材２３,３０を第１の方向へ回転させて可動部材２２,２９を第１の方向へ回転させると、ピン２６ａ,３３ａがピン支持部３５ａ,３５ａに対して変位して可動部材２２,２９に第２の方向への回転が与えられる。【選択図】図３
2006136424.tif 000002
【特許請求の範囲】
【請求項１】
遊技状態に応じて動作する可動部材を備えた遊技機の演出装置であって、
装置本体に対して第１の方向へ回転可能に支持され、所要の駆動手段に接続する軸部材と、
前記軸部材に設けられ、前記可動部材を前記第１の方向と異なる第２の方向へ回転可能に支持する枢支部と、
前記可動部材に設けられ、前記枢支部に対する前記可動部材の回転軸方向に対し交差方向へ延在するピンと、
前記装置本体に位置し、前記ピンを所要範囲内で遊動可能に支持するピン支持部とからなり、
前記駆動手段により前記軸部材を第１の方向へ回転させて前記可動部材を第１の方向へ回転させると、前記ピンがピン支持部に対して変位して前記可動部材に第２の方向への回転が与えられるよう構成した
ことを特徴とする遊技機の演出装置。
【請求項２】
前記ピンは、前記軸部材から離間した位置に設けられる請求項１記載の遊技機の演出装置。
【請求項３】
前記可動部材には、所要の意匠が施される請求項１または２記載の遊技機の演出装置。
【請求項４】
前記可動部材に発光体を設けるよう構成した請求項１〜３の何れかに記載の遊技機の演出装置。
【発明の詳細な説明】
【技術分野】
【０００１】
この発明は、遊技機の演出装置に関し、更に詳細には、遊技状態に応じて可動部材を動作させて遊技演出を行なう遊技機の演出装置に関するものである。
【背景技術】
【０００２】
代表的な遊技機であるパチンコ機は、機内にセットされる遊技盤の盤面に画成した遊技領域の略中央位置に装飾部材が配設されて、該装飾部材に形成した開口部から液晶式やドラム式等の図柄表示装置を臨ませ、この図柄表示装置で図柄組み合わせゲームやリーチ演出等の主たる遊技演出を行なうようになっている。また前記装飾部材に、所要の動作を行なう可動部材を備えて補助的な演出を行なう演出装置を配設し、該可動部材を前記図柄表示装置で行なわれる遊技演出に合わせて動作させることにより、視覚的な演出効果を向上させ、遊技の興趣を一層増大するようにしたパチンコ機も知られている。例えば、前記演出装置としては、装飾部材に往復運動可能にハンマー(可動部材)を配設し、該ハンマーと連繋させたソレノイド(駆動手段)を図柄表示装置での遊技演出に合わせて駆動させるようにしたものがある(特許文献１参照)。また、装飾部材に手袋やシルクハットを模した複数の可動体(可動部材)を揺動可能に配設すると共に、各可動体に対応してソレノイド(駆動手段)を夫々配設し、複数の可動体を図柄表示装置での遊技演出に合わせて揺動させることで、より遊技の興趣を高めるようにしたものもある(特許文献２参照)。
【特許文献１】特開２００１−２５５４６号公報
【特許文献２】特開２００１−３８００５号公報
【発明の開示】
【発明が解決しようとする課題】
【０００３】
ところで、近年のパチンコ機は、演出装置の可動部材を大型化することで遊技者に与えるインパクトをより増大させると共に、遊技の興趣を向上して、他のパチンコ機との差別化を図る傾向が強くなっている。しかし、パチンコ機の前面側に取付けられる保護ガラス(透明板)と遊技盤の盤面との間の離間寸法は、パチンコ球の直径との関係から一定の範囲に制限される。このため、前記可動部材を保護ガラスに近接する方向に動作させる場合には、該可動部材の可動範囲は制限されることになり、可動部材の大きさに較べて可動範囲は狭く、インパクトや迫力に欠けるものとなってしまう問題が指摘される。しかも、特許文献１または特許文献２に記載の可動部材は、遊技盤面に対して水平または垂直な動作、すなわち二次元的な単純な動作を行なうため、前述と同様にインパクトや迫力に欠けている。なお、前記可動部材の回転中心(回動軸)を前記保護ガラスから後方に大きく離間する位置に設定すれば、該可動部材の可動範囲を大きくすることはできる。しかるにこの場合には、演出装置の可動部材が遊技者から遠ざかってしまい、前述と同様インパクトや迫力に欠けると共に、可動部材が後方に位置することでデザイン的な統一感が損なわれて、遊技の興趣を低減することにもなる畏れがある。
すなわち、本発明は、限りある距離の中で可動部材を三次元的に動作させて、該可動部材の動作に対するインパクトや迫力を増大し、遊技の興趣を増大し得る遊技機の演出装置を提供することを目的とする。
【課題を解決するための手段】
【０００４】
前記課題を克服し、所期の目的を好適に達成するため、本発明に係る遊技機の演出装置は、
遊技状態に応じて動作する可動部材(22,29)を備えた遊技機の演出装置であって、
装置本体(16)に対して第１の方向へ回転可能に支持され、所要の駆動手段(36)に接続する軸部材(23,30)と、
前記軸部材(23,30)に設けられ、前記可動部材(22,29)を前記第１の方向と異なる第２の方向へ回転可能に支持する枢支部(24,31)と、
前記可動部材(22,29)に設けられ、前記枢支部(24,31)に対する前記可動部材(22,29)の回転軸方向に対し交差方向へ延在するピン(26a,33a)と、
前記装置本体(16)に位置し、前記ピン(26a,33a)を所要範囲内で遊動可能に支持するピン支持部(35a)とからなり、
前記駆動手段(36)により前記軸部材(23,30)を第１の方向へ回転させて前記可動部材(22,29)を第１の方向へ回転させると、前記ピン(26a,33a)がピン支持部(35a)に対して変位して前記可動部材(22,29)に第２の方向への回転が与えられるよう構成したことを特徴とする。
【０００５】
また、前記ピン(26a,33a)は、前記軸部材(23,30)から離間した位置に設けるようにしてもよい。
【０００６】
更に、前記可動部材(22,29)に、所要の意匠を施すことも可能である。
【０００７】
更にまた、前記可動部材(22,29)に発光体(27a)を設けるようにしてもよい。
【発明の効果】
【０００８】
本発明の請求項１に係る遊技機の演出装置によれば、軸部材に設けた枢支部に可動部材を支持するよう構成したことで、該軸部材の第１の方向への回転に伴って可動部材も第１の方向へ回転させ得る。また、装置本体のピン支持部に対し、前記可動部材に設けたピンを所要範囲内で遊動可能に支持するよう構成したことにより、該可動部材が第１の方向へ回転すると、該ピン支持部に対してピンが変位して可動部材に第２の方向への回転が与えられる。このように、同時に異なる２方向に前記可動部材を回転させることで、該可動部材に三次元的な動作を与え得るから、可動部材の動作に対するインパクトや迫力を高めて遊技の興趣の増大を図り得る。また、単一の駆動手段により前記可動部材を異なる２方向に回転させ得るから、装置の製造コストを低減し得ると伴に、省スペース化を図り得る利点がある。
【０００９】
そして、請求項２に係る遊技機の演出装置によれば、前記ピンを前記軸部材から離間した位置に設けることで、前記可動部材が第１の方向へ回転した際にピン支持部に対してピンを変位させ得るから、該可動部材を確実に異なる２方向に回転させて三次元的に動作させ得る。また、請求項３に係る遊技機の演出装置によれば、前記可動部材に所要の意匠を施すことで、遊技者に親しみを与え、遊技の興趣を増大し得る利点がある。更に、請求項４に係る遊技機の演出装置によれば、三次元的に動作する可動部材に発光体を設けることで、発光体と遊技者との距離を変化させることができ、可動部材の動作に対するインパクトを高めることができる。殊に、発光体として光の指向性の高いＬＥＤ等を用いた場合には、可動部材の三次元的な動作に伴って光の照射方向も三次元的に変化させることができ、より一層インパクトを高め遊技の興趣を増大し得る。
【発明を実施するための最良の形態】
【００１０】
次に、本発明に係る遊技機の演出装置につき好適な実施例を挙げて、添付図面を参照しながら、以下詳細に説明する。なお、実施例では、図柄を可変表示して主たる遊技演出を行なう図柄表示装置を備えるパチンコ機を例にして説明する。また、実施例において「前」、「後」および「左」、「右」とは、図１に示すようにパチンコ機の遊技盤１０を正面側から視た状態において指称するものとする。
【実施例】
【００１１】
図１に示すように、実施例に係るパチンコ機の遊技盤１０は、略円形状に湾曲形成したレール１０ａにより囲まれた遊技領域１０ｂの前側において、縦央やや下部にパチンコ球をスイッチで検出し得る始動入賞具１１と、この始動入賞具１１の直上方に配設されて遊技領域１０ｂの略中央に位置し、図柄表示装置１３が後方から臨む装飾部材１５と、始動入賞具１１の直下方に設置された大型電動式の入賞装置１２等を備えている。ここで、前記始動入賞具１１内に配設した図示しないスイッチがパチンコ球を検出することで、前記図柄表示装置１３で図柄変動ゲームが開始される。また、前記入賞装置１２は、図１に示されるように、特別入賞具に設けられた扉状の開閉板１２ａが、後側の電磁ソレノイド(図示せず)に係る設定駆動条件に基づいて、通常の閉鎖状態から開放状態に変化し得るよう構成されて、前記図柄変動ゲームの結果、特別遊技(所謂大当り)が発生すると開閉板１２ａが開放して多数の賞球を得る機会が付与されるようになっている。なお、パチンコ機には、前記遊技盤１０の前側に所定距離だけ離間する位置に図示しない保護ガラスが設けられており、該遊技盤１０を透視保護している。
【００１２】
前記装飾部材１５は、図１に示すように、前記遊技領域１０ｂの左右幅方向の大部分を占め、その略中央位置に開設した可視表示部１６ａを介して前記図柄表示装置１３が後方から臨む枠状本体１６(図２参照)に、所要の意匠を施した複数の装飾体１６ｂ,１８を取付けて構成され、該枠状本体１６を遊技盤１０に開設した装着孔(図示せず)に前側から挿入した状態で遊技盤１０にネジ止めされる。そして、実施例では、図２に示すように前記枠状本体１６の上部位置に形成した設置部１７に、所要の演出動作を行なう演出装置２０の各種部材２１,２８,３４,３５,３６,３７が設けられている。すなわち、実施例では、前記装飾部材１５の枠状本体１６が演出装置２０の装置本体としても機能している。
【００１３】
また、前記設置部１７には、前後方向に開口する開口部１７ａが開設されると共に、該設置部１７の前面側に取付けられる前記装飾体１８には、左右方向に離間する位置に前後に貫通する通孔１８ａ,１８ａが形成されており、該開口部１７ａを介して通孔１８ａ,１８ａが枠状本体１６の裏側に連通するようになっている。更に、前記設置部１７の裏側には、図２に示すように、前記開口部１７ａに略整合する大きさの固定板１９が取付けられている。なお、前記固定板１９には、後述するモータ(駆動手段)３６の駆動軸３６ａを挿通可能な孔部１９ａを開設してある。
【００１４】
前記演出装置２０は、図２に示すように、前記設置部１７の前側に配置される第１および第２可動体２１,２８と、該設置部１７(各可動体２１,２８)の前側に配設され、キャラクタの意匠を施した意匠部材３４,３５と、設置部１７(固定板１９)の後側に設けられて各可動体２１,２８に接続される駆動機構３７と、該駆動機構３７に接続され、パチンコ機の所要位置に配設された制御手段(図示せず)で駆動制御されるモータ３６とから基本的に構成される。ここで、前記意匠部材３４,３５は、「顔」を模した意匠が施された第１意匠部材３４と、「上半身」を模した意匠が施され、第１意匠部材３４の裏側に取付けられる第２意匠部材３５とからなり(図２または図３参照)、前記モータ３６が第１意匠部材３４の裏側に配置されている。なお、前記モータ３６は、駆動軸３６ａが後方へ向けて突出するよう取付けられて、前記固定板１９に形成した孔部１９ａを介して駆動軸３６ａを設置部１７の後方に臨ませている。
【００１５】
また、図３に示すように、前記第２意匠部材３５には、前後方向に開口するピン支持孔(ピン支持部)３５ａ,３５ａが左右方向に離間する２箇所に形成されて、該ピン支持孔３５ａ,３５ａに後述する第１および第２ピン２６ａ,３３ａを遊動可能に挿通するよう構成されている。ここで、前記各ピン支持孔３５ａにおける第２意匠部材３５の裏側の内周端縁部は面取りされており(図７〜図９参照)、各ピン支持孔３５ａの内周端縁部に沿って第１および第２ピン２６ａ,３３ａが滑らかに傾動(変位)し得るようになっている。なお、前記各ピン支持孔３５ａは、前記第１意匠部材３４により被覆されて前方(遊技者側)から視認し得ないよう構成されており、外観を損ねないようになっている。
【００１６】
次に、前記第１および第２可動体２１,２８について説明する。図３に示すように、前記第１可動体２１は、「右腕」を模した意匠が施された第１可動部材２２と、前記装飾体１８の左側に位置する通孔１８ａに挿入されて、前記装飾部材１５(装飾体１８)に対して回転可能な第１軸部材(軸部材)２３と、該第１軸部材２３の前端部に設けられて、第１軸部材２３の延在方向(前後方向)と直交する方向に貫通する通孔２４ａが形成された第１枢支部(枢支部)２４と、該第１枢支部２４の通孔２４ａに回転可能に挿入されて、一方の端部に第１可動部材２２が固定される第１連結軸(軸部)２５と、該第１連結軸２５の他方の端部に固定される第１作動部２６と、該第１作動部２６に形成されて、第１連結軸２５に対し直交する方向(すなわち第１枢支部２４に対する第１可動部材２２の回転軸方向に対し交差方向)に延在する第１ピン(ピン)２６ａとから構成される。
【００１７】
すなわち、前記第１可動部材２２は、図８〜図１０に示すように、前記第１軸部材２３を中心(回転軸)とする回転(第１の方向への回転)と、前記第１連結軸２５を中心(回転軸)とする回転(第１の方向とは異なる第２の方向への回転)とを行ない得るようになっている。なお、図１０は、第１可動体２１における可動部材２２の動作機構を概略で示す説明図であって、第１可動体２１の第１可動部材２２を第１位置から第２位置(何れも後述)へ変位させる状態を示している。但し、図１０(b)は、前記第１ピン２６ａをピン支持孔３５ａに遊動可能に挿入支持していない場合に第１可動部材２２を第１の方向へ回転した状態を示す想像図であって、本発明の技術内容の理解を容易にするために示してある。また、以下の説明においては、前記第１可動部材２２の回転方向に関しては、該第１可動部材２２が第１軸部材２３を中心として回転する場合には、第１軸部材２３の後端部側(演出装置２０の裏側)から視た状態を基準とし、前記第１連結軸２５を中心として回転する場合には、第１作動部２６側から第１可動部材２２を視た状態を基準にして説明する。また、前記第１可動部材２２の所要位置にはＬＥＤやランプ等の発光体２７ａを取付けたＬＥＤ基板２７が設けられており(図５または図６参照)、前記制御手段に対して図示しないハーネスを介して電気的に接続されている。
【００１８】
また、前記第１ピン２６ａは、図７〜図１０に示すように、前記第２意匠部材３５に形成した左側に位置するピン支持孔３５ａに対して後方から遊動可能に挿入支持されている。すなわち、前記第１軸部材２３を中心として前記第１可動部材２２を回転させた際に、前記第１ピン２６ａとピン支持孔３５ａとの位置関係が変化し(図１０(b)参照)、これに伴って第１ピン２６ａがピン支持孔３５ａに対して傾動(変位)して前記第１可動部材２２が第１連結軸２５を中心として回転するようになっている(図９または図１０(c)参照)。ここで、実施例では、前記第１可動体２１は、前記枠状本体１６の可視表示部１６ａの上縁に沿って前記意匠部材３４,３５から左方向へ第１可動部材２２が延在する第１位置(図５または図８参照)と、該第１可動部材２２が意匠部材３４,３５から下方に垂下して図柄表示装置１３の前側に臨む第２位置(図６または図９参照)との間で変位し得るよう構成される。なお、前記第１位置では前記第１可動部材２２の「掌」が正面側を向き、前記第２位置では第１可動部材２２の「掌」が右側を向いている。すなわち、前記第１可動部材２２が第１位置から第２位置に変位するに際しては、該第１可動部材２２は第１軸部材２３を中心として時計回りに回転すると共に、前記第１連結軸２５を中心として反時計間回りに回転している(図９参照)。
【００１９】
次に、前記第２可動体２８について説明する。第２可動体２８は、前記第１可動体２１と基本的に同一構成となっている。図３に示すように、前記第２可動体２８は、「左腕」を模した意匠が施された第２可動部材２９と、前記装飾体１８の右側に位置する通孔１８ａに挿入されて、前記装飾部材１５(装飾体１８)に対して回転可能な第２軸部材(軸部材)３０と、該第２軸部材３０の前端部に設けられて、第２軸部材３０の延在方向(前後方向)と直交する方向に貫通する通孔３１ａが形成された第２枢支部(枢支部)３１と、該第２枢支部３１の通孔３１ａに回転可能に挿入されて、一方の端部に第２可動部材２９が固定される第２連結軸(軸部)３２と、該第２連結軸３２の他方の端部に固定される第２作動部３３と、該第２作動部３３に形成されて、第２連結軸３２に対し直交する方向(すなわち第２枢支部３１に対する第２可動部材２９の回転軸方向に対する交差方向)に延在する第２ピン(ピン)３３ａとから構成される。
【００２０】
すなわち、前記第２可動部材２９は、図８〜図９に示すように、前記第２軸部材３０を中心(回転軸)とする回転(第１の方向への回転)と、前記第２連結軸３２を中心(回転軸)とする回転(第１の方向とは異なる第２の方向への回転)とを行ない得るようになっている。なお、前記第２可動部材２９の回転方向に関しては、前述した第１可動部材２２と同様に、該第２可動部材２９が第２軸部材３０を中心として回転する場合には前記第２軸部材３０の後端部側(演出装置２０の裏側)から視た状態を基準とし、前記第２連結軸３２を中心として回転する場合には、第２作動部３３側から第２可動部材２９を視た状態を基準にして説明する。
【００２１】
また、前記第２ピン３３ａは、図８に示すように、前記第２意匠部材３５に形成した右側に位置するピン支持孔３５ａに対して後方から遊動可能に挿入支持されている。すなわち、前述した第１可動体２１の場合と同様に、前記第２軸部材３０を中心として前記第２可動部材２９を回転させた際に、前記第２ピン３３ａとピン支持孔３５ａとの位置関係が変化し、これに伴って第２ピン３３ａがピン支持孔３５ａに対して傾動(変位)して前記第２可動部材２９が第２連結軸３２を中心として回転するようになっている。ここで、実施例では、前記第２可動体２８は、前記枠状本体１６の可視表示部１６ａの上縁に沿って前記意匠部材３４,３５から右方向へ第２可動部材２９が延在する第１位置(図５または図８参照)と、該第２可動部材２９が意匠部材３４,３５から下方に垂下して図柄表示装置１３の前側に臨む第２位置(図６または図９参照)との間で変位し得るよう構成される。なお、前記第１位置では前記第２可動部材２９の「掌」が正面側を向き、前記第２位置では第２可動部材２９の「掌」が左側を向いている。すなわち、前記第２可動部材２９が第１位置から第２位置に変位するに際しては、該第２可動部材２９は第２軸部材３０を中心として反時計回りに回転すると共に、前記第２連結軸３２を中心として時計間回りに回転する(図９参照)。
【００２２】
図３または図４に示すように、前記駆動機構３７は、前記モータ３６の駆動軸３６ａに固定する軸孔３８ａを偏心して設けた円板状のカム板３８と、該カム板３８の回転により上下方向に往復移動されるスライド部材３９と、前記設置部１７の裏側に固定されて、カム板３８およびスライド部材３９の後方を覆うカバー部材４５と、スライド部材３９に連繋して、スライド部材３９の上下移動により前記第１可動体２１を動作させる第１作動部材５１と、スライド部材３９に連繋して、スライド部材３９の上下移動により前記第２可動体２８を動作させる第２作動部材５２とから構成される。すなわち、前記モータ３６を駆動してカム板３８を回転することで、前記スライド部材３９および各作動部材５１,５２を介して前記第１および第２可動体２１,２８(第１および第２可動部材２２,２９)の夫々が前記第１位置と第２位置との間で変位される。
【００２３】
また、前記スライド部材３９は、前記装飾体１８に形成した２箇所の通孔１８ａ,１８ａ(すなわち第１軸部材２３と第２軸部材３０)の間に位置するよう配置される。ここで、前記スライド部材３９には、図４に示すように、その上部位置に輪郭形状が横長の略楕円状をなす係合孔４０が開設されると共に、該スライド部材３９の下部位置には、前後に貫通するスリット４１が左右方向に延在するよう形成されている。そして、前記カム板３８を係合孔４０に係合させて、該カム板３８を回転することにより、該スライド部材３９が上下方向に往復移動するようになっている。なお、スライド部材３９の上端面には、上方に突出する検出片４２が形成されると共に、該スライド部材３９の背面には、後方に向けて突出するガイド突起４３が形成されている。
【００２４】
また、図４に示すように、前記カバー部材４５は、前方および下方に開口する箱状に形成されており、該カバー部材４５と前記固定板１９との間にスライド部材３９が位置するよう前記設置部１７の裏側に取付けられる。すなわち、前記スライド部材３９は、前記固定板１９およびカバー部材４５により前後の位置規制がなされている。また、前記カバー部材４５の上面４５ａには、前記スライド部材３９の検出片４２を挿入可能な挿通孔４６が形成されると共に、該上面４５ａの前端縁から上方に向けて延出するフランジ４７に、該検出片４２を検出可能なセンサ５８を備えた基板５９(図７参照)が取付けられている。すなわち、前記スライド部材３９が最上方位置まで移動して前記検出片４２が挿通孔４６を介してカバー部材４５の上面４５ａより上方に突出すると、該検出片４２を前記センサ５８が検出して前記制御手段に信号を送信し、これによりスライド部材３９の位置検出がなされる。
【００２５】
更に、前記カバー部材４５の後面４５ｂには、左右方向の略中央位置に上下方向に延在するガイド孔４８が形成されており、該ガイド孔４８に前記スライド部材３９に形成した前記ガイド突起４３を臨ませるよう構成される。すなわち、前記カム板３８を回転した際に、前記ガイド突起４３がガイド孔４８に案内されてスライド部材３９が直線的に往復移動するようになっている。なお、前記カバー部材４５の後面４５ｂにおけるガイド孔４８の左右両側部に、円弧状孔４９,４９を形成してある。
【００２６】
前記第１および第２作動部材５１,５２の夫々は、図３に示すように、所要長の棒状に形成されて、その一方の端部に前方に開口するよう形成した第１支持孔５３に、対応する第１軸部材２３および第２軸部材３０の後端部が夫々固定される。すなわち、前記第１軸部材２３(第１可動部材２２)は、前記第１作動部材５１と一体的に回転し、前記第２軸部材３０(第２可動部材２９)は、前記第２作動部材５２と一体的に回転するようになっている。また、前記第１および第２作動部材５１,５２における他方の端部には、第２支持孔５５を形成したボス５４が前方に向けて突設されており、該第２支持孔５５に支軸５６を前方に向けて突出するよう固定してある。そして、この支軸５６,５６を前記カバー部材４５の後方から対応する円弧状孔４９,４９に挿入すると共に、前記スライド部材３９のスリット４１に摺動自在に挿入するようになっている(図７〜図９参照)。なお、図７〜図９では、簡略化のため枠状本体１６、固定板１９およびカバー部材４５の記載を省略してある。
【００２７】
すなわち、前記スライド部材３９を上下移動すると、前記スリット４１に挿入した前記支軸５６,５６は、対応する第１および第２軸部材２３,３０までの距離寸法が一定となるようスリット４１に沿って左右方向に変位し、これにより前記第１および第２作動部材５１,５２の夫々が回転する。更に、この第１および第２作動部材５１,５２の回転に伴って、これら作動部材５１,５２に固定した前記第１および第２軸部材２３,３０の夫々が回転し、前記第１および第２可動体２１,２８(第１および第２可動部材２２,２９)の夫々が対応する軸部材２３,３０を中心として回転するようになっている。
【００２８】
ここで、前記スライド部材３９を最下方位置に変位した状態では、図８に示すように、前記両支軸５６,５６が近接するようスリット４１の略中央付近に位置して、該スライド部材３９の左右側方に前記第１および第２軸部材２３,３０が位置すると共に、前記第１および第２可動部材２２,２９の夫々が前記第１位置に位置するよう設定してある。そして、前記スライド部材３９を上方へ向けて移動すると、前記第１作動部材５１の支軸５６および第２作動部材５２の支軸５６が相互に離間する方向へ移動してこれら両作動部材５１,５２が回転すると共に、該スライド部材３９が最上方位置に至ると、両支軸５６,５６がスリット４１の端部まで移動して、前記第１および第２可動部材２２,２９の夫々が第２位置へ変位するようになっている(図９参照)。
【００２９】
〔実施例の作用〕
次に、前述した実施例に係る遊技機の演出装置の作用につき説明する。
【００３０】
前記装飾部材１５に配設した前記演出装置２０は、常には前記スライド部材３９が最下方位置に保持されて、前記第１可動体２１の第１可動部材２２、および前記第２可動体２８の第２可動部材２９の夫々が前記第１位置に保持される(図８参照)。そして、前記遊技盤１０に打ち出されたパチンコ球が前記始動入賞具１１に入賞すると、前記図柄表示装置１３で各種図柄が可変表示されて所要の遊技演出が行なわれ、このとき所要の制御条件が成立すると、前記制御手段からの信号に基づいて前記モータ３６が駆動される。ここで、前記モータ３６が駆動すると、該モータ３６の駆動軸３６ａに固定した前記カム板３８が回転し、該カム板３８の回転によりカム板３８と係合する前記スライド部材３９が上方移動する(図９参照)。
【００３１】
このとき、前記スライド部材３９のスリット４１に挿入された前記第１および第２作動部材５１,５２の支軸５６,５６が相互に離間する方向へ移動する。すなわち、図９に示すように、前記演出装置２０を裏側から視た状態では、前記第１作動部材５１の支軸５６が前記スリット４１に沿って右方向に移動して、前記第１軸部材２３を中心として該第１作動部材５１が時計回りに回転すると共に、前記第２作動部材５２の支軸５６が前記スリット４１に沿って左方向に移動して、前記第２軸部材３０を中心として該第２作動部材５２が反時計回りに回転する。
【００３２】
前記第１作動部材５１には前記第１軸部材２３の後端部を固定してあるから、該第１作動部材５１の回転に伴って第１軸部材２３も時計回りに回転すると共に、この第１軸部材２３の回転により前記第１可動部材２２が第１軸部材２３を中心として時計回りに回転する。ここで、前記第１可動部材２２には、前記第１軸部材２３に設けた第１枢支部２４に枢支された前記第１連結軸２５を介して第１作動部２６が固定され、該第１作動部２６の第１ピン２６ａを前記第２意匠部材３５の左側に形成したピン支持孔３５ａに遊動可能に挿通してある。従って、前記第１可動部材２２が前記第１軸部材２３を中心として時計回りに回転して前記第１ピン２６ａとピン支持孔３５ａとの位置関係が相対的に変化すると(図１０(b)参照)、これに合わせてピン支持孔３５ａに対して第１ピン２６ａが傾動(変位)して(図１０(c)参照)、前記第１連結軸２５が第１枢支部２４に対して回転する。すなわち、前記第１ピン２６ａの傾動(変位)に伴って第１連結軸２５を中心として前記第１可動部材２２が反時計回りに回転する。これにより、前記第１可動部材２２が前記第１位置から第２位置へ変位するに際して、図５〜図９に示すように、「右腕」を模した第１可動部材２２を振り下ろすように動作すると共に、該第１可動部材２２を外側から内側に捻るように動作して「掌」が右側を向くようになっている。
【００３３】
同様に、前記第２作動部材５２には前記第２軸部材３０の後端部を固定してあるから、該第２作動部材５２の回転に伴って第２軸部材３０も回転すると共に、該第２軸部材３０の回転により前記第２可動部材２９が第２軸部材３０を中心として反時計回りに回転する(図９参照)。ここで、前記第２可動部材２９には、前記第２軸部材３０に設けた第２枢支部３１に枢支された前記第２連結軸３２を介して第２作動部３３が固定され、該第２作動部３３の第２ピン３３ａを前記第２意匠部材３５の右側に形成したピン支持孔３５ａに遊動可能に挿通してある。従って、前記第２可動部材２９が前記第２軸部材３０を中心として反時計回りに回転して前記第２ピン３３ａとピン支持孔３５ａとの位置関係が相対的に変化すると、これに合わせてピン支持孔３５ａに対して第２ピン３３ａが傾動(変位)して、前記第２連結軸３２が第２枢支部３１に対して回転する。すなわち、前記第２ピン３３ａの傾動(変位)に伴って第２連結軸３２を中心として前記第２可動部材２９が時計回りに回転する。これにより、前記第２可動部材２９が前記第１位置から第２位置へ変位するに際して、図５〜図９に示すように、「左腕」を模した第２可動部材２９を振り下ろすように動作すると共に、該第２可動部材２９を外側から内側に捻るように動作して「掌」が左側を向くようになっている。
【００３４】
また、前記スライド部材３９が最上方位置まで移動して前記第１および第２可動部材２２,２９が第２位置に変位した後に前記カム板３８を回転させると、該スライド部材３９が下方移動する。このとき、前記スライド部材３９のスリット４１に挿入された前記第１および第２作動部材５１,５２の支軸５６,５６が相互に近接する方向へ移動する。すなわち、図９に示すように、前記演出装置２０を裏側から視た状態では、前記第１作動部材５１の支軸５６が前記スリット４１に沿って左方向に移動して、前記第１軸部材２３を中心として該第１作動部材５１が反時計回りに回転すると共に、前記第２作動部材５２の支軸５６が前記スリット４１に沿って右方向に移動して、前記第２軸部材３０を中心として該第２作動部材５２が時計回りに回転する。すなわち、前述とは反対方向に前記第１および第２作動部材５１,５２が回転することで、対応する第１および第２軸部材２３,３０は夫々反対方向へ回転し、これにより前記第１可動部材２２が第１軸部材２３を中心として反時計回りに回転すると共に、前記第２可動部材２９が第２軸部材３０を中心として時計回りに回転する。
【００３５】
このとき、前記第１可動部材２２が前記第１軸部材２３を中心として反時計回りに回転することにより、前述したと同様に前記第１ピン２６ａとピン支持孔３５ａとの位置関係が相対的に変化し、これに合わせてピン支持孔３５ａに対して第１ピン２６ａが傾動(変位)すると共に、前記第１連結軸２５が第１枢支部２４に対して回転する。これにより、前記第１ピン２６ａの傾動(変位)に伴って第１連結軸２５を中心として前記第１可動部材２２が時計回りに回転する。すなわち、前記第１可動部材２２が前記第２位置から第１位置へ変位するに際して、図５〜図９に示すように、「右腕」を模した第１可動部材２２を振り上げるように動作すると共に、該第１可動部材２２を内側から外側に捻るように動作して「掌」が正面を向くようになっている。
【００３６】
同様に、前記第２可動部材２９が前記第２軸部材３０を中心として時計回りに回転することにより、前記第２ピン３３ａとピン支持孔３５ａとの位置関係が相対的に変化し、これに合わせてピン支持孔３５ａに対して第２ピン３３ａが傾動(変位)すると共に、前記第２連結軸３２が第２枢支部３１に対して回転する。これにより、前記第２ピン３３ａの傾動(変位)に伴って第２連結軸３２を中心として前記第２可動部材２９が反時計回りに回転する。すなわち、前記第２可動部材２９が前記第２位置から第１位置へ変位するに際して、図５〜図９に示すように、「左腕」を模した第２可動部材２９を振り上げるように動作すると共に、該第２可動部材２９を内側から外側に捻るように動作して「掌」が正面を向くようになっている。
【００３７】
このように、前記装飾枠体(枠状本体１６)に回転可能に支持した各軸部材２３,３０の枢支部２４,３１に、前記各可動部材２２,２９を支持するよう構成したことで、該各軸部材２３,３０の回転に伴ってこれら可動部材２２,２９を対応する軸部材２３,３０を中心として回転させ得る。また、前記各枢支部２４,３１に形成した通孔２４ａ,３１ａに各可動部材２２,２９に固定した連結軸２５,３２を回転可能に挿入すると共に、該連結軸２５,３２に固定した各作動部２６,３３のピン２６ａ,３３ａを第２意匠部材３５のピン支持孔３５ａ,３５ａに対して遊動可能に支持したことにより、前記各軸部材２３,３０の回転に伴って各ピン２６ａ,３３ａとピン支持孔３５ａ,３５ａとの相対的な位置関係が変化した際にこれら各ピン２６ａ,３３ａを傾動(変位)させ、これら可動部材２２,２９を対応する連結軸２５,３２を中心として回転させ得る。このように、前記第１および第２可動部材２２,２９の夫々を同時に異なる２方向に回転させることで、第１および第２可動部材２２,２９に三次元的な動作を与え得るから、これら各可動部材２２,２９の動作に対するインパクトや迫力を高めて遊技の興趣の増大を図り得る。
【００３８】
また、第１および第２可動部材２２,２９の夫々に対し、前記第１および第２軸部材２３,３０を中心とする回転を与える駆動手段と、前記第１および第２連結軸２５,３２を中心とする回転を与える駆動手段とを夫々独立して設けた場合には、装置の大型化を招来すると共に、製造コストが嵩む問題も生ずる。これに対して、実施例のように可動部材２２,２９と一体的に回転するピン２６ａ,３３ａをピン支持孔３５ａ,３５ａに遊動可能に支持することで、軸部材２３,３０を中心とする回転に伴って前記連結軸２５,３２を中心として別の方向に可動部材２２,２９を回転させ得る。すなわち、実施例では、前記軸部材２３,３０を回転させる前記モータ３６を配設するだけで、可動部材２２,２９を異なる２方向に回転させ得るから、装置の製造コストを低減し得ると共に、省スペース化を図り得る利点がある。
【００３９】
更に、実施例では、前記スライド部材３９に形成したスリット４１に、前記第１可動部材２２に接続する第１作動部材５１の支軸５６と、前記第２可動部材２９に接続する第２作動部材５２の支軸５６とを挿入したことで、前記モータ３６の駆動によりスライド部材３９を上下方向に移動した際に、両可動部材２２,２９を同期的に動作させ得る。すなわち、前記第１および第２可動体２１,２８(第１および第２可動部材２２,２９)の夫々に、モータ３６や駆動機構３７を独立して設ける必要がないから、製造コストの低減や、省スペース化し得る。
【００４０】
なお、前記第１および第２軸部材２３,３０の軸心に沿って前記第１および第２ピン２６ａ,３３ａが延在するよう構成した場合には、これら軸部材２３,３０を中心として可動部材２２,２９を回転した場合に、各ピン２６ａ,３３ａとピン支持孔３５ａ,３５ａとの位置関係に相対的な変化が生じないため、各連結軸２５,３２を中心として可動部材２２,２９を回転させ得ない不都合が生ずる。そこで、実施例では、前記第１および第２ピン２６ａ,３３ａが形成される作動部２６,３３を、対応する第１および第２枢支部２４,３１の通孔２４ａ,３１ａに挿入した第１および第２連結軸２５,３２の端部に取付けてある。すなわち、前記各ピン２６ａ,３３ａを対応する軸部材２３,３０から離間した位置に設けることで、軸部材２３,３０を中心として前記各可動部材２２,２９を回転した際に各ピン２６ａ,３３ａとピン支持孔３５ａ,３５ａとの位置関係を確実に変化させ得るから、対応する連結軸２５,３２を介して各可動部材２２,２９を確実に回転させることが可能となる。また、実施例では、前記各ピン支持孔３５ａの内周端縁部を面取りするようにしたから、該ピン支持孔３５ａの端縁に沿って前記各ピン２６ａ,３３ａが滑らかに傾動(変位)して、前記各可動部材２２,２９の動作をスムーズに行なわせ得る利点がある。
【００４１】
また、実施例では、前記第１可動部材２２に発光体２７ａを設けるようにしたから、該第１可動部材２２の三次元的な動作に伴い発光体２７ａと遊技者との距離が変化し、当該第１可動部材２２の動作に対するインパクトを更に高めることができる。殊に、前記発光体２７ａとして光の指向性の高いＬＥＤを用いた場合には、第１可動部材２２の三次元的な動作に伴って光の照射方向も三次元的に変化するから、より一層インパクトを高め、遊技の興趣を増大し得る利点がある。具体的には、前記第１可動部材２２を第１位置に保持した状態では前方に向けて光を照射するようＬＥＤを設けた場合には、該第１可動部材２２が動作するのに伴って光の照射方向が変化して最終的に右方向へ光が照射される。
【００４２】
更に、前述のように、パチンコ機の前面側に取付けられる保護ガラスと遊技盤１０の盤面との間の離間寸法は、パチンコ球の直径との関係から一定の範囲に制限されることから、可動部材２２,２９の大きさに較べて可動範囲は狭くなる問題がある。これに対し、実施例では、限られた空間の中で前記第１および第２可動部材２２,２９を三次元的に動作させることで、可動範囲を大きく確保することができ、遊技者に与えるインパクトを高め得る。また、前記各可動部材２２,２９および各意匠部材３４,３５の夫々に所要の意匠を施したことで、演出装置２０に対する親しみを与え、遊技の興趣を増大し得る利点もある。
【００４３】
〔変更例〕
なお、本発明に係る遊技機の演出装置としては、実施例のものに限られるものではなく、種々の変更が可能である。実施例では、可動体を軸部材に設けた枢支部の通孔に連結軸を挿通し、該連結軸の一方の端部に可動部材を固定すると共に、他方の端部にピンを形成した作動部を固定するよう構成したが、その他の構成も採用し得る。例えば、図１１に示す可動体６０は、連結軸２５の一方の端部に可動部材２２を固定すると共に、該連結軸２５の途中位置に前記ピン２６ａを形成した作動部６１を固定する。そして、前記作動部６１から突出する連結軸２５の他方の端部を、前記軸部材２３に設けた枢支部２４に回転可能に枢支すると共に、前記ピン２６ａをピン支持孔３５ａに遊動可能に支持するよう構成してある。また、図１２に示す可動体６２または図１３に示す可動体６３は、前記軸部材２３の端部に棒状に形成した枢支部６４を交差(直交)するよう設けると共に、連結軸６５を介して可動部材２２と作動部６６とを固定する。そして、前記作動部６６に孔部(図示せず)を形成して、該孔部に枢支部６４を回転可能に挿入すると共に、前記作動部６６に形成されたピン２６ａをピン支持孔３５ａに遊動可能に支持するよう構成してある。
【００４４】
すなわち、図１１〜図１３の何れに示す変更例に係る構成であっても、前記軸部材２３の第１の方向への回転に伴って可動部材２２も第１の方向へ回転させ得ると共に、該第１の方向への回転により前記作動部６１,６６に設けたピン２６ａがピン支持孔３５ａに対して変位することで可動部材２２に第２の方向への回転が与えられるから、実施例と同様に、可動部材２２を異なる２方向に回転させることができる。なお、図１１〜図１３において、実施例における第１可動体２１と同一の機能を有する部材には同一の符号を付してある。また、図１１〜図１３に係る変更例では、可動部材２２と作動部６１,６６とを連結軸２５,６５を介して固定するようにしたが、可動部材２２と作動部６１,６６とを直接固定してもよく、また可動部材２２と作動部６１,６６とを一体的に設ける(すなわち可動部材２２に直接ピン２６ａを形成する)ようにしても、前述と同様の作用効果を得ることができる。
【００４５】
このように、可動部材を異なる２つの方向に回転させるには、装置本体に対して第１の方向へ回転可能に支持され、所要の駆動手段に接続する軸部材と、該軸部材に設けられ、可動部材を第１の方向と異なる第２の方向へ回転可能に支持する枢支部と、可動部材に設けられ、枢支部に対する可動部材の回転軸方向に対し交差方向へ延在するピンと、装置本体に位置し、ピンを所要範囲内で遊動可能に支持するピン支持部とを設けるようにすればよい。また、ピン支持部は、楕円状や円弧状、その他任意の形状の孔に形成することができ、このように形成することで、より複雑な第２の方向への回転を可動部材に付与することができ、遊技者の興味をより惹き付けることが可能である、なお、ピン支持部は、実施例のような孔に限られるものではなく、ピンを所要範囲内で遊動可能に支持し得るよう構成すればよい。
【００４６】
また、実施例では２つの可動体(可動部材)を単一の駆動機構により動作させるようにしたが、各可動体(可動部材)に対して独立して駆動機構を設けるようにしてもよい。なお、演出装置に２つの可動体(可動部材)を設ける構成に限らず、１または３以上の可動体(可動部材)を設けるようにすることも可能である。そして、実施例では、図柄表示装置が臨む装飾部材に演出装置を設けるようにしたが、演出装置を独立して設けるようにしてもよい。
【００４７】
更に、可動部材を動作させる駆動機構に関しては、実施例にものに限られるものではなく、歯車やリンク機構、その他従来公知の各種伝達用部材等を利用して任意に構成することが可能である。そして、実施例では、駆動手段としてモータを用いるようにしたがこれに限定されるものではなく、ソレノイド等の従来公知の駆動手段を利用し得る。なお、実施例では、図柄変動ゲームに合わせて各可動部材を動作させるようにしたが、その他のタイミングで動作させるようにしてもよい。例えば、遊技が行なわれていない状態で可動部材を動作させることで、当該遊技機に対する遊技者の興味を惹き付けるようにすることも可能である。また、本発明に係る演出装置を採用する遊技機としては、実施例に例示したパチンコ機に限られるものではなく、遊技状態に応じて動作する可動部材を備えた遊技機であれば、スロットマシン機やアレンジボール機等の従来公知のものに採用し得る。
【００４８】
〔付記〕
なお、本発明に係る遊技機の演出装置に関しては、以下に示す具体的構成に限定することが可能である。
(1) 前記可動部材(22,29)は軸部(25,32)を備え、該軸部(25,32)を挿入可能な孔部(24a,31a)を前記枢支部(24,31)に形成し、前記軸部(25,32)を孔部(24a,31a)に挿入することで前記可動部材(22,29)を枢支部(24,31)に回転自在に支持するよう構成される請求項１〜４の何れかに記載の遊技機の演出装置。
このように、可動部材に形成した軸部を枢支部に形成した孔部に挿入させることで、軸部材を中心として可動部材を確実に回転させ得る。
(2) 前記ピン支持部(35a)は、前記ピン(26a,33a)が挿通される孔であって、その内周端縁部が面取りされている請求項１〜４および付記１の何れかに記載の遊技機の演出装置。
このように、前記ピン支持部の端縁部を面取りすることで、該ピン支持部の端縁に沿って前記ピンが滑らかに変位し得るから、前記可動部材の動作をスムーズに行なわせ得る利点がある。
【図面の簡単な説明】
【００４９】
【図１】本発明の実施例に係る演出装置を備えたパチンコ機の遊技盤を示す正面図である。
【図２】実施例に係る演出装置を分解して示す斜視図である。
【図３】実施例に係る演出装置の第１および第２可動体を示す分解斜視図である。
【図４】実施例に係る演出装置の駆動機構を示す分解斜視図である。
【図５】実施例に係る装飾部材の一部を概略で示す正面図であって、演出装置の第１および第２可動部材の夫々が第１位置にある状態を示す。
【図６】実施例に係る装飾部材の一部を概略で示す正面図であって、演出装置の第１および第２可動部材の夫々が第２位置にある状態を示す。
【図７】実施例に係る演出装置の要部を後方から視た状態を示す斜視図であって、第１および第２可動体の夫々が第２位置にある状態を示す。
【図８】実施例に係る演出装置の要部を後方から視た状態を示す斜視図であって、第１および第２可動体の夫々が第１位置にある状態を示す。
【図９】実施例に係る演出装置の要部を後方から視た状態を示す斜視図であって、第１および第２可動体の夫々を第１位置から第２位置へ変位させた状態を示す。
【図１０】実施例に係る第１可動部材の動作機構を概略で示す説明図であって、(a)は第１可動部材を第１位置で保持した状態を示し、(b)は第１可動部材を第１の方向へ回転し、第１ピンおよびピン支持孔の位置関係が変化した状態を示し、(c)は第１可動部材を第２の方向へ回転した状態を示す。
【図１１】変更例に係る可動体を示す概略図である。
【図１２】別の変更例に係る可動体を示す概略図である。
【図１３】更に別の変更例に係る可動体を示す概略図である。
【符号の説明】
【００５０】
１６  枠状本体(本体)
２２  第１可動部材(可動部材)
２３  第１軸部材(軸部材)
２４  第１枢支部(枢支部)
２６ａ  第１ピン(ピン)
２７ａ  発光体
２９  第２可動部材(可動部材)
３０  第２軸部材(軸部材)
３１  第２枢支部(枢支部)
３３ａ  第２ピン(ピン)
３５ａ  ピン支持孔(ピン支持部)
３６  モータ(駆動手段)
【図１】
2006136424.tif 000003
【図２】
2006136424.tif 000004
【図３】
2006136424.tif 000005
【図４】
2006136424.tif 000006
【図５】
2006136424.tif 000007
【図６】
2006136424.tif 000008
【図７】
2006136424.tif 000009
【図８】
2006136424.tif 000010
【図９】
2006136424.tif 000011
【図１０】
2006136424.tif 000012
【図１１】
2006136424.tif 000013
【図１２】
2006136424.tif 000014
【図１３】
2006136424.tif 000015